(57)【要約】【課題】交換可能な磁性式記録媒体を利用することにより、より手軽に多くの映像を記録することが可能な映像記録装置を提供すること。【解決手段】チューナ部１２で受信された放送信号にも基づき、デコード部１４が映像データをデコードする。ここで、デコードされた映像データは映像出力部１８及び音声出力部２０に出力される。また、映像データは映像記録部１６に記録される。また、映像データは、ＨＤＤ接続部２２に接続された外部ＨＤＤ２４に記録することもできる。ここで、外部ＨＤＤ２４は、ＨＤＤに対応した接続冶具を用いることにより、ＨＤＤの種類にこだわることなくＨＤＤ接続部２２に接続することが出来る。【選択図】図１
2009016009.tif 000002
【特許請求の範囲】
【請求項１】
映像データを記録する映像記録部を備えた映像記録装置において、
前記映像記録部に記録された映像データを記録するための磁性式記録媒体が接続される磁性式記録媒体接続部を有しており、
前記磁性式記録媒体は、交換可能であることを特徴とする映像記録装置。
【請求項２】
前記磁性式記録媒体が、前記磁性式記録媒体接続部に接続される場合に、前記磁性式記録媒体の接続形式に対応する接続冶具を介して接続されることを特徴とする請求項１に記載の映像記録装置。
【請求項３】
前記磁性式記録媒体は、他の情報処理装置において利用可能なことを特徴とする請求項１又は２に記載の映像記録装置。
【発明の詳細な説明】
【技術分野】
【０００１】
本発明は、映像データを記録する映像記録部を備えた映像記録装置に関する。
【背景技術】
【０００２】
従来から、受信された番組を映像データとしてデコードし、当該映像データを内蔵する記録装置に記録する映像記録装置が知られている。ここで、映像記録装置に内蔵される記録装置は、容量が大きく、価格が安いことから磁性式記録媒体、すなわちハードディスクドライブ（以下、適宜「ＨＤＤ」と表す）が利用されることが一般的である。
【０００３】
ここで、映像データを記録していくと、内蔵されたＨＤＤの容量を超える映像データは記録できない。したがって、ＨＤＤの容量を超える分の映像データを保存したり、また、他の映像記録装置で映像データを再生したりするために、映像データを外部の記録メディアに記録するための外部記録装置が備えられていることが一般的である。
【０００４】
ここで、映像記録装置に備えられている外部記録装置は、大容量の映像データが手軽に保存できるように、記録型ＤＶＤ（Digital Versatile Disk）等の大容量の光学式メディアが利用できる光学式ドライブが用いられていることが知られている（例えば、特許文献１参照）。
【特許文献１】特開２００４−３１８９２３号公報
【発明の開示】
【発明が解決しようとする課題】
【０００５】
近年、受信される映像データの高画質化等にともない、映像データの記録サイズが大きくなっていく傾向がある。このような映像データをより高画質、長時間記録できるよう、光学式メディアも、従来の一層式の記録型ＤＶＤから、二層で記録可能な記録型ＤＶＤを利用したり、更に大容量が記録可能なＢｌｕ−ｒａｙディスクや、ＨＤ−ＤＶＤを利用したりする等、様々な光学式メディアが登場している。
【０００６】
しかし、これらの光学式メディアを利用するためには、当該光学式メディアに対応したドライブが必要となってしまうといった問題点が生じていた。また、各光学式メディアについては、互換性が考慮されていないことも多く、一の映像記録装置で記録した映像データを他の映像記録装置で再生する場合には、同種の光学式ドライブを再生している必要があった。
【０００７】
また、大容量の記録メディアとしては、光学式メディアの他に磁性式記録媒体としてＨＤＤが考えられる。しかし、映像記録装置にＨＤＤを利用する場合には、接続方式等が異なるため、映像記録装置に対応した専用の外部ＨＤＤが必要となり、手軽に利用することはできなかった。
【０００８】
特に、近年コンピュータ等の情報処理装置においては、ＨＤＤを内蔵するものが一般的である。コンピュータの性能向上に鑑みて、コンピュータを購入したり、ＨＤＤを高性能・大容量のものに換装したりすることにより、不要なＨＤＤを保有していることが多い。しかし、映像記録装置において利用されるＨＤＤは、専用のマウント、カートリッジ等が必要なことから、不要なＨＤＤを手軽に流用するといったことができなかった。
【０００９】
上述した課題に鑑み、本発明が目的とするところは、交換可能な磁性式記録媒体を利用することにより、より手軽に多くの映像データを記録することが可能な映像記録装置を提供することを目的とする。
【課題を解決するための手段】
【００１０】
上述した課題を解決するために、本発明の映像記録装置は、映像データを記録する映像記録部を備えた映像記録装置において、前記映像記録部に記録された映像データを記録するための磁性式記録媒体が接続される磁性式記録媒体接続部を有しており、前記磁性式記録媒体は、交換可能であることを特徴とする。
【００１１】
また、本発明の映像記録装置は、前記磁性式記録媒体が、前記磁性式記録媒体接続部に接続される場合に、前記磁性式記録媒体の接続形式に対応する接続冶具を介して接続されることを特徴とする。
【００１２】
また、本発明の映像記録装置において、前記磁性式記録媒体は、他の情報処理装置において利用可能なことを特徴とする。
【発明の効果】
【００１３】
本発明によれば、映像データを記録するための磁性式記録媒体を交換することが可能となる。したがって、磁性式記録媒体の一例として、例えばＨＤＤを利用することにより、手軽に映像データを多く記録することができることとなる。
【００１４】
また、磁性式記録媒体を接続する場合に、当該磁性式記録媒体に対応した接続冶具を利用することにより、磁性式記録媒体の形態・形状にこだわることなく、利用する事が出来るようになる。
【００１５】
また、磁性式記録媒体については、当該映像記録装置専用のものではなく、例えば他の情報処理装置等において利用されていたものを利用することができるようになる。
【発明を実施するための最良の形態】
【００１６】
続いて、図面を参照して本発明を実施するための最良の形態について説明する。図１は、本発明を適用した映像記録装置１の構成を説明するための図である。映像記録装置１は、ＣＰＵ１０に、チューナ部１２と、デコード部１４と、映像記録部１６と、映像出力部１８と、音声出力部２０と、ＨＤＤ接続部２２とがバスを介して接続されている。また、ＨＤＤ接続部２２には、外部ＨＤＤ２４が接続される。
【００１７】
ＣＰＵ１０は、映像記録装置１の各動作部及び制御を行う処理部である。映像記録装置１に記憶されている各種プログラムを読み出し、実行することにより各処理を実行する処理部である。
【００１８】
チューナ部１２は、アンテナＡＮＴから受信された放送信号から、所望する番組のチャンネルに対応する放送波を抽出する機能部である。チューナ部１２において抽出された放送波は、デコード部１４に出力される。
【００１９】
デコード部１４は、チューナ部１２より出力された放送波に基づいて、映像信号及び音声信号を含む映像データをデコード（復調）する機能部である。そして、映像データに含まれる映像信号は映像出力部１８に、音声信号は音声出力部２０に出力される。また、記録する映像データは、映像記録部１６に出力される。
【００２０】
映像記録部１６は、デコード部１４においてデコードされた映像データを記録する機能部である。映像記録部１６は、例えばＨＤＤ等で構成されている。映像記録部１６において記録された映像データは、ＣＰＵ１０により読み出され、映像出力部１８及び音声出力部２０において再生出力される。
【００２１】
映像出力部１８は、デコード部１４から出力された映像データや、映像記録部１６又は外部ＨＤＤ２４に記録された映像データに含まれる映像信号を、外部に接続された映像表示装置に出力するための機能部である。また、音声出力部２０は、デコード部１４から出力された映像データや、映像記録部１６又は外部ＨＤＤ２４に記録された映像データに含まれる音声信号を、外部に接続された音声出力装置に出力するための機能部である。ここで、一例として映像出力部１８に接続される映像表示装置はＬＣＤ等であり、音声出力部２０に接続される音声出力装置としてはスピーカ等である。
【００２２】
ＨＤＤ接続部２２は、外部ＨＤＤ２４を接続するための機能部である。外部ＨＤＤ２４が、ＨＤＤ接続部２２を介して映像記録装置１に接続されることにより、映像記録部１６と映像データを移動することができる。また、ＣＰＵ１０は、外部ＨＤＤ２４に記録されている映像データを、直接再生することが出来る。ここで、ＨＤＤ接続部２２の接続方式としては、種々の方法が考えられるが、例えばＳＡＴＡ（Serial ATA）でも良いし、ＩＤＥでも良いし、ＩＥＥＥ１３９４等、いずれのインタフェース（規格）に従っても良い。
【００２３】
外部ＨＤＤ２４は、ＨＤＤ接続部２２を介して接続されるＨＤＤである。映像記録部１６に記録された映像データを記録したり、デコード部１４から出力される映像データを記録したりする機能部である。詳細は後述するが、外部ＨＤＤは、磁性式記録媒体２４ａと、当該磁性式記録媒体２４ａをＨＤＤ接続部２２に接続するためのマウントとして換装用接続冶具２４ｂから構成されている。
【００２４】
ここで、図２に映像記録装置１の外観を示す。映像記録装置１は、外部ＨＤＤ２４を挿着するための開口部２８を設けている。開口部２８に、外部ＨＤＤ２４が挿着されることにより、開口部２８の中にあるＨＤＤ接続部２２を介して、外部ＨＤＤ２４が映像記録装置１に挿着されることとなる。
【００２５】
図３は、外部ＨＤＤ２４を具体的に示す図である。外部ＨＤＤ２４は、通常のＨＤＤの一例として磁性式記録媒体２４ａと、換装用接続冶具２４ｂとから構成されている。磁性式記録媒体２４ａは、例えば、コンピュータ等で汎用的に使用されるＨＤＤが使用されている。また、磁性式記録媒体２４ａの接続形式に対応した換装用接続冶具２４ｂが使用されている。例えば、磁性式記録媒体２４ａの接続形式がＩＤＥ（Integrated Drive Electronics）である場合にはＩＤＥの接続形式に対応した換装用接続冶具が、接続形式がＳＡＴＡ（Serial ATA）である場合にはＳＡＴＡの接続形式に対応した換装用接続冶具が、ＳＣＳＩ（Small Computer System Interface）である場合にはＳＣＳＩの接続形式に対応した換装用接続冶具が利用されることとなる。
【００２６】
また、磁性式記録媒体２４ａの大きさが、３．５インチタイプであったり、２．５インチタイプであったりしても、対応する換装用接続冶具を利用することにより、映像記録装置１に適切に接続することができる。
【００２７】
このように、換装用接続冶具２４ｂを、磁性式記録媒体２４ａの接続形式に対応する形式を利用することにより、磁性式記録媒体２４ａは、いずれの形式でも利用する事ができる。
【００２８】
したがって、ユーザは映像記録装置１において用いられる専用の外部ＨＤＤを用意することなく、例えば古くなったコンピュータ等に内蔵されたＨＤＤ等を再利用するといった使用法が考えられ、より効率的に映像記録装置を利用することができる。
【００２９】
例えば、図４に示すように、コンピュータ５には、磁性式記録媒体として、ＩＤＥ接続の３．５インチＨＤＤが、３．５インチベイ３０に内蔵されている。ここで、当該３．５インチＨＤＤを取り外し、換装用接続冶具２４ｂを取り付けることにより外部ＨＤＤ２４となり、映像記録装置１に挿着可能となる。また、逆に、挿着された外部ＨＤＤ２４の換装用接続冶具２４ｂを取り外すことにより、再度コンピュータ５において利用することも可能である。
【００３０】
また、この際、映像記録装置で外部ＨＤＤ２４について初期化処理や、パーティション処理等を行うことができる。例えば、パーティション操作により、映像データを記録する領域を分けたり、映像記録装置１で利用する領域と、コンピュータ５で利用する領域を分けたりするといったことも可能である。
【００３１】
例えば、図５に示すように、外部ＨＤＤ２４のうち、８０ＧＢ分をコンピュータ５で利用する領域とし、４０ＧＢ分を映像記録装置１で利用する領域に割り当てることができる。この場合、例えば映像記録装置１で利用するパーティションを非アクティブの領域に設定することにより、コンピュータ５からは操作出来ないようにすることが出来る。したがって、映像記録装置１において記録された映像データを誤って削除したりすることを防ぐことが可能となる。また、映像データをコンピュータ上で再生、保存出来ないことから、著作権保護された映像データでも外部ＨＤＤ２４に記録することが出来るようになる。
【００３２】
また、このように、他のコンピュータ等において換装されたＨＤＤを再利用することにより、専用のＨＤＤを購入することと比較して環境に配慮した設計となっている。
【図面の簡単な説明】
【００３３】
【図１】本実施形態における映像記録装置の構成を示す図である。
【図２】本実施形態における映像記録装置及び外部ＨＤＤの外観を示す図である。
【図３】本実施形態における外部ＨＤＤの構成について示す図である。
【図４】本実施形態における利用形態の一例を説明するための図である。
【図５】本実施形態における外部ＨＤＤのパーティションの一例について説明する為の図である。
【符号の説明】
【００３４】
１  映像記録装置
１０  ＣＰＵ
１２  チューナ部
１４  デコード部
１６  映像記録部
１８  映像出力部
２０  音声出力部
２２  ＨＤＤ接続部
２４  外部ＨＤＤ
２４ａ  磁性式記録媒体
２４ｂ  換装用接続冶具
【図１】
2009016009.tif 000003
【図２】
2009016009.tif 000004
【図３】
2009016009.tif 000005
【図４】
2009016009.tif 000006
【図５】
2009016009.tif 000007